(57)【要約】【課題】フレームごとに当該フレームに対応する画像のみを、より鮮明に表示させることが可能な表示装置及び表示装置の駆動方法を提供する。【解決手段】サブフレームごとに画素回路をオン状態またはオフ状態とさせることで、階調数が複数の階調表現で画像を表示画面に表示させる表示装置であって、各走査線には、表示期間に対して基準点に応じて一連のサブフレームが割り当てら、準備期間において、走査線駆動回路は、各走査線を順次選択し、データ線駆動回路は、選択された走査線ごとに、基準点に応じたデータ信号を画素回路に供給し、表示期間において、走査線駆動回路は、各走査線を、表示期間中に割り当てられた各サブフレームの開始タイミングに同期して順次選択し、データ線駆動回路は、選択された走査線に接続されている画素回路に対して、当該開始タイミングに対応するサブフレームに設定された状態に応じてデータ信号を供給する、表示装置。【選択図】図６
2015187641.tif 000002
【特許請求の範囲】
【請求項１】
互いに直交する方向に配置された複数の走査線と複数のデータ線との交差箇所それぞれに対応して配置される複数の画素回路と、
前記走査線それぞれに走査信号を供給することにより、前記走査線を排他的に選択する走査線駆動回路と、
複数の前記データ線に、前記画素回路をオン状態またはオフ状態のいずれかの状態とするデータ信号を供給することにより、選択された前記走査線に接続されている前記画素回路に、前記データ信号を供給するデータ線駆動回路と、
を備え、
１フレームにおいて画像を表示するための表示期間を、複数のサブフレームに分割し、当該サブフレームごとに前記画素回路をオン状態またはオフ状態とさせることで、階調数が複数の階調表現で画像を表示画面に表示させる表示装置であって、
前記複数の走査線それぞれには、前記表示期間中におけるいずれかの時点を基準点として、前記表示期間に対して、当該基準点に応じて一連の前記サブフレームがあらかじめ割り当てられており、
前記１フレーム内における前記表示期間の事前に設定された準備期間において、
前記走査線駆動回路は、前記複数の走査線それぞれを順次選択し、
前記データ線駆動回路は、選択された前記走査線ごとに、前記基準点に応じた前記データ信号を、当該走査線に接続されている前記画素回路に供給し、
前記表示期間において、
前記走査線駆動回路は、前記走査線それぞれを、当該走査線ごとに前記表示期間中に割り当てられた各サブフレームの開始タイミングに同期して順次選択し、
前記データ線駆動回路は、選択された前記走査線に接続されている前記画素回路に対して、当該開始タイミングに対応する前記サブフレームに設定された前記状態に応じて前記データ信号を供給することを特徴とする、表示装置。
【請求項２】
前記複数の走査線それぞれには、前記表示期間に対して、前記基準点を起点として、前記一連のサブフレームがあらかじめ決められた順序で巡回的に割り当てられていることを特徴とする、請求項１に記載の表示装置。
【請求項３】
前記一連のサブフレームそれぞれが前記表示期間中に占める期間は、あらかじめ重み付けされており、
前記一連のサブフレーム中における、前記画素回路がオン状態に制御される前記サブフレームの組み合わせそれぞれに対して、互いに異なる階調が関連付けられていることを特徴とする、請求項１または２に記載の表示装置。
【請求項４】
前記準備期間は、前記走査線駆動回路が前記複数の走査線それぞれを排他的に選択する期間よりも長くなるように設定されることを特徴とする、請求項１または２に記載の表示装置。
【請求項５】
前記複数の走査線それぞれには、前記表示期間中において互いに異なる時点を前記基準点として、前記一連のサブフレームが前記表示期間に対して割り当てられている、請求項１〜４のいずれか一項に記載の表示装置。
【請求項６】
前記準備期間中は、前記複数の画素回路全てがオフ状態となるように制御されることを特徴とする、請求項１〜５のいずれか一項に記載の表示装置。
【請求項７】
左眼用画像と右眼用画像とをフレームごとに時分割で表示する表示装置であって、
前記準備期間は、前記左眼用画像と前記右眼用画像とを切り替えるための切り替え期間内に設定されることを特徴とする、請求項１〜６のいずれか一項に記載の表示装置。
【請求項８】
前記１フレーム内における前記表示期間において、オン状態とさせる前記画素回路の数に応じて、当該１フレームにおける前記表示画面の輝度が調整されることを特徴とする、請求項１〜７のいずれか一項に記載の表示装置。
【請求項９】
前記画素回路に供給される電源電圧に応じて、前記１フレームにおける前記表示画面の輝度が調整されることを特徴とする、請求項８に記載の表示装置。
【請求項１０】
前記画素回路は、
発光素子と、
供給されたデータ信号を保持するための保持容量と、
前記保持容量に保持された前記データ信号に基づき、導通状態と非導通状態とのいずれかに切り替えられるスイッチ素子と、
を備え、
走査線駆動回路により前記走査線が選択されることで、当該走査線に接続された前記画素回路の前記保持容量に対して、供給された前記データ信号が保持され、
当該走査線が非選択状態となることで、前記保持容量に保持された前記データ信号に基づき前記スイッチ素子が切り替えられ、前記発光素子への電流の供給が制御されることを特徴とする、請求項１〜９のいずれか一項に記載の表示装置。
【請求項１１】
前記画素回路は、
発光素子と、
供給されたデータ信号を保持するための保持容量と、
前記保持容量に保持された前記データ信号に基づき、導通状態と非導通状態とのいずれかに切り替えられるスイッチ素子と、
前記発光素子に供給される前記電流の電流値を所定の値に制御する定電流回路と、
を備え、
走査線駆動回路により前記走査線が選択されることで、当該走査線に接続された前記画素回路の前記保持容量に対して、供給された前記データ信号が保持され、
当該走査線が非選択状態となることで、前記保持容量に保持された前記データ信号に基づき前記スイッチ素子が切り替えられ、前記発光素子への電流の供給が直接または間接的に制御されることを特徴とする、請求項１〜８のいずれか一項に記載の表示装置。
【請求項１２】
前記定電流回路は、前記スイッチ素子と前記発光素子との間に介在するように設けられていることを特徴とする、請求項１１に記載の表示装置。
【請求項１３】
前記定電流回路は、
制御端子と、前記スイッチ素子側に接続された第１の端子と、前記発光素子側に接続された第２の端子とを備えた駆動トランジスタと、
前記駆動トランジスタの前記制御端子側に接続された第２の保持容量と、
前記制御端子と前記第２の端子との間に介在し、導通状態と非導通状態とを切り替え可能に構成された第２のスイッチ素子と、
を備え、
前記第２のスイッチ素子が、前記導通状態となることで前記制御端子と前記第２の端子との間をバイパスされ、前記駆動トランジスタの前記第１の端子から前記制御端子に向けて供給された、当該駆動トランジスタを駆動させるための制御信号が、前記第２の保持容量に保持され、
前記第２の保持容量に保持された前記制御信号に基づき、前記駆動トランジスタを介した前記発光素子への電流の供給が直接または間接的に制御されることを特徴とする、請求項１１または１２に記載の表示装置。
【請求項１４】
前記第２のスイッチ素子は、前記準備期間中における、前記データ線駆動回路が前記画素回路それぞれに前記データ信号を供給する以前の期間において、導通状態となるように制御される、請求項１３に記載の表示装置。
【請求項１５】
前記第２の保持容量に保持された前記制御信号に応じて、前記１フレームにおける前記表示画面の輝度が調整されることを特徴とする、請求項１３または１４に記載の表示装置。
【請求項１６】
前記画素回路は、発光素子を含み、
前記準備期間中に、前記発光素子を流れる電流を前記画素回路ごとに検出する検出部を備え、
前記画素回路ごとの前記電流の検出結果に基づいて、前記１フレームにおける当該画素回路の発光量が調整されることを特徴とする、請求項１〜８のいずれか一項に記載の表示装置。
【請求項１７】
互いに直交する方向に配置された複数の走査線と複数のデータ線との交差箇所それぞれに対応して配置される複数の画素回路と、
前記走査線それぞれに走査信号を供給することにより、前記走査線を排他的に選択する走査線駆動回路と、
複数の前記データ線に、前記画素回路をオン状態またはオフ状態のいずれかの状態とするデータ信号を供給することにより、選択された前記走査線に接続されている前記画素回路に、前記データ信号を供給するデータ線駆動回路と、
を備え、
１フレームにおいて画像を表示するための表示期間を、複数のサブフレームに分割し、当該サブフレームごとに前記画素回路をオン状態またはオフ状態とさせることで、階調数が複数の階調表現で画像を表示画面に表示させる表示装置の駆動方法であって、
前記複数の走査線それぞれには、前記表示期間中におけるいずれかの時点を基準点として、前記表示期間に対して、当該基準点に応じて一連の前記サブフレームがあらかじめ割り当てられており、
前記１フレーム内における前記表示期間の事前に設定された準備期間において、
前記複数の走査線それぞれを順次選択することと、
選択された前記走査線ごとに、前記基準点に応じた前記データ信号を、当該走査線に接続されている前記画素回路に供給することと、
前記表示期間において、
前記走査線それぞれを、当該走査線ごとに前記表示期間中に割り当てられた各サブフレームの開始タイミングに同期して順次選択することと、
選択された前記走査線に接続されている前記画素回路に対して、当該開始タイミングに対応する前記サブフレームに設定された前記状態に応じて前記データ信号を供給することとを含むことを特徴とする、表示装置の駆動方法。
【発明の詳細な説明】
【技術分野】
【０００１】
本発明は、表示装置及び表示装置の駆動方法に関する。
【背景技術】
【０００２】
近年においては、表示装置として、有機ＥＬ（Organic   Electro-Luminescence）素子などの自発光素子を用いる装置が提供されている。このような表示装置の中には、所謂、サブフレーム駆動方法と呼ばれる、１フレームにおいて画素がオンする時間の割合を変化させることによって階調表示を行う方法が用いられているものがある。サブフレーム駆動方法では、例えば、１フレームを複数のサブフレームに分割し、分割した各サブフレームにおいて、発光素子をオン状態またはオフ状態とすることで、１フレームにおいて画素がオンする時間の割合を制御し、階調表示を行う。
【０００３】
例えば、特許文献１には、１行目の走査線の走査タイミングを時系列に沿って順次シフトしながら全走査線に対して適用することで１水平期間を最大化する、所謂、飛越し走査方式サブフレーム駆動方法について開示されている。
【先行技術文献】
【特許文献】
【０００４】
【特許文献１】特開平９−１２７９０６号公報
【発明の概要】
【発明が解決しようとする課題】
【０００５】
一方で、特許文献１に開示された駆動方法を適用した場合には、走査タイミングが走査線ごとに時系列に沿ってシフトする構成のため、１フレーム分の映像を複数フレーム（例えば、２フレーム）にわたって表示することになる。そのため、この駆動方法を、例えば、右眼用画像と左眼用画像とをフレームごとに時分割で表示させる、所謂シャッター方式の３Ｄ表示装置に適用した場合には、１フレーム内に右眼用画像と左眼用画像とが混在することになり、所謂クロストークが生じる。即ち、両眼のそれぞれにおいて、左眼用画像及び右眼用画像の双方が観測されることとなるため、ボケや２重像等の画像の劣化が生じ、鮮明な画像による立体視表現を視聴者に対して提供することが困難となる場合がある。
【０００６】
そこで、本発明は、上記問題に鑑みてなされたものであり、本発明の目的とするところは、フレームごとに当該フレームに対応する画像のみを、より鮮明に表示させることが可能な、新規かつ改良された表示装置及び表示装置の駆動方法を提供することにある。
【課題を解決するための手段】
【０００７】
上記課題を解決するために、本発明のある観点によれば、互いに直交する方向に配置された複数の走査線と複数のデータ線との交差箇所それぞれに対応して配置される複数の画素回路と、前記走査線それぞれに走査信号を供給することにより、前記走査線を排他的に選択する走査線駆動回路と、複数の前記データ線に、前記画素回路をオン状態またはオフ状態のいずれかの状態とするデータ信号を供給することにより、選択された前記走査線に接続されている前記画素回路に、前記データ信号を供給するデータ線駆動回路と、を備え、１フレームにおいて画像を表示するための表示期間を、複数のサブフレームに分割し、当該サブフレームごとに前記画素回路をオン状態またはオフ状態とさせることで、階調数が複数の階調表現で画像を表示画面に表示させる表示装置であって、前記複数の走査線それぞれには、前記表示期間中におけるいずれかの時点を基準点として、前記表示期間に対して、当該基準点に応じて一連の前記サブフレームがあらかじめ割り当てられており、前記１フレーム内における前記表示期間の事前に設定された準備期間において、前記走査線駆動回路は、前記複数の走査線それぞれを順次選択し、前記データ線駆動回路は、選択された前記走査線ごとに、前記基準点に応じた前記データ信号を、当該走査線に接続されている前記画素回路に供給し、前記表示期間において、前記走査線駆動回路は、前記走査線それぞれを、当該走査線ごとに前記表示期間中に割り当てられた各サブフレームの開始タイミングに同期して順次選択し、前記データ線駆動回路は、選択された前記走査線に接続されている前記画素回路に対して、当該開始タイミングに対応する前記サブフレームに設定された前記状態に応じて前記データ信号を供給することを特徴とする、表示装置が提供される。
【０００８】
前記複数の走査線それぞれには、前記表示期間に対して、前記基準点を起点として、前記一連のサブフレームがあらかじめ決められた順序で巡回的に割り当てられてもよい。
【０００９】
前記一連のサブフレームそれぞれが前記表示期間中に占める期間は、あらかじめ重み付けされており、前記一連のサブフレーム中における、前記画素回路がオン状態に制御される前記サブフレームの組み合わせそれぞれに対して、互いに異なる階調が関連付けられていてもよい。
【００１０】
前記準備期間は、前記走査線駆動回路が前記複数の走査線それぞれを排他的に選択する期間よりも長くなるように設定されてもよい。
【００１１】
前記複数の走査線それぞれには、前記表示期間中において互いに異なる時点を前記基準点として、前記一連のサブフレームが前記表示期間に対して割り当てられていてもよい。
【００１２】
前記準備期間中は、前記複数の画素回路全てがオフ状態となるように制御されてもよい。
【００１３】
左眼用画像と右眼用画像とをフレームごとに時分割で表示する表示装置であって、前記準備期間は、前記左眼用画像と前記右眼用画像とを切り替えるための切り替え期間内に設定されてもよい。
【００１４】
前記１フレーム内における前記表示期間において、オン状態とさせる前記画素回路の数に応じて、当該１フレームにおける前記表示画面の輝度が調整されてもよい。
【００１５】
前記画素回路に供給される電源電圧に応じて、前記１フレームにおける前記表示画面の輝度が調整されてもよい。
【００１６】
前記画素回路は、発光素子と、供給されたデータ信号を保持するための保持容量と、前記保持容量に保持された前記データ信号に基づき、導通状態と非導通状態とのいずれかに切り替えられるスイッチ素子と、を備え、走査線駆動回路により前記走査線が選択されることで、当該走査線に接続された前記画素回路の前記保持容量に対して、供給された前記データ信号が保持され、当該走査線が非選択状態となることで、前記保持容量に保持された前記データ信号に基づき前記スイッチ素子が切り替えられ、前記発光素子への電流の供給が制御されてもよい。
【００１７】
前記画素回路は、発光素子と、供給されたデータ信号を保持するための保持容量と、前記保持容量に保持された前記データ信号に基づき、導通状態と非導通状態とのいずれかに切り替えられるスイッチ素子と、前記発光素子に供給される前記電流の電流値を所定の値に制御する定電流回路と、を備え、走査線駆動回路により前記走査線が選択されることで、当該走査線に接続された前記画素回路の前記保持容量に対して、供給された前記データ信号が保持され、当該走査線が非選択状態となることで、前記保持容量に保持された前記データ信号に基づき前記スイッチ素子が切り替えられ、前記発光素子への電流の供給が直接または間接的に制御されてもよい。
【００１８】
前記定電流回路は、前記スイッチ素子と前記発光素子との間に介在するように設けられていてもよい。
【００１９】
前記定電流回路は、制御端子と、前記スイッチ素子側に接続された第１の端子と、前記発光素子側に接続された第２の端子とを備えた駆動トランジスタと、前記制御端子と前記第２の端子との間に介在し、導通状態と非導通状態とを切り替え可能に構成された第２のスイッチ素子と、を備え、前記第２のスイッチ素子が、前記導通状態となることで前記制御端子と前記第２の端子との間をバイパスし、複数の前記画素回路それぞれに設けられた前記駆動トランジスタ間における閾値電圧のばらつきを補償してもよい。
【００２０】
前記第２のスイッチ素子は、前記準備期間中における、前記データ線駆動回路が前記画素回路それぞれに前記データ信号を供給する以前の期間において、導通状態となるように制御されてもよい。
【００２１】
前記駆動トランジスタを駆動させるための駆動電圧に応じて、前記１フレームにおける前記表示画面の輝度が調整されてもよい。
【００２２】
また、上記課題を解決するために、本発明の別の観点によれば、互いに直交する方向に配置された複数の走査線と複数のデータ線との交差箇所それぞれに対応して配置される複数の画素回路と、前記走査線それぞれに走査信号を供給することにより、前記走査線を排他的に選択する走査線駆動回路と、複数の前記データ線に、前記画素回路をオン状態またはオフ状態のいずれかの状態とするデータ信号を供給することにより、選択された前記走査線に接続されている前記画素回路に、前記データ信号を供給するデータ線駆動回路と、を備え、１フレームにおいて画像を表示するための表示期間を、複数のサブフレームに分割し、当該サブフレームごとに前記画素回路をオン状態またはオフ状態とさせることで、階調数が複数の階調表現で画像を表示画面に表示させる表示装置の駆動方法であって、前記複数の走査線それぞれには、前記表示期間中におけるいずれかの時点を基準点として、前記表示期間に対して、当該基準点に応じて一連の前記サブフレームがあらかじめ割り当てられており、前記１フレーム内における前記表示期間の事前に設定された準備期間において、前記複数の走査線それぞれを順次選択することと、選択された前記走査線ごとに、前記基準点に応じた前記データ信号を、当該走査線に接続されている前記画素回路に供給することと、前記表示期間において、前記走査線それぞれを、当該走査線ごとに前記表示期間中に割り当てられた各サブフレームの開始タイミングに同期して順次選択することと、選択された前記走査線に接続されている前記画素回路に対して、当該開始タイミングに対応する前記サブフレームに設定された前記状態に応じて前記データ信号を供給することとを含むことを特徴とする、表示装置の駆動方法が提供される。
【発明の効果】
【００２３】
以上説明したように本発明によれば、フレームごとに当該フレームに対応する画像のみを、より鮮明に表示させることが可能な表示装置及び表示装置の駆動方法を提供することが可能となる。
【図面の簡単な説明】
【００２４】
【図１】本発明の第１の実施形態に係る表示装置の構成の一例について説明するための説明図である。
【図２】同実施形態に係る画素回路の構成の一例について説明するための説明図である。
【図３】比較例に係る表示装置の駆動方法について説明するための説明図である。
【図４】同実施形態に係る表示装置の駆動方法に係る、表示装置の駆動タイミングの設定手順の一例について説明するための説明図である。
【図５】同実施形態に係る表示装置の駆動方法に係る、表示装置の駆動タイミングの設定手順の一例について説明するための説明図である。
【図６】同実施形態に係る表示装置の駆動方法に基づく走査線の選択に係る動作の推移について説明するための説明図である。
【図７】各走査線に対して走査タイミングを設定する方法の一例について説明するための説明図である。
【図８】同実施形態に係る表示装置の駆動方法に基づく駆動タイミングの一例について説明するための説明図である。
【図９】本発明の第２の実施形態に係る表示装置の駆動方法に基づく走査線の選択に係る動作の推移について説明するための説明図である。
【図１０】発明の第３の実施形態に係る表示装置の構成の一例について説明するための説明図である。
【図１１】同実施形態に係る画素回路の構成の一例について説明するための説明図である。
【図１２】同実施形態に係る表示装置の駆動方法に基づく走査線の選択に係る動作の推移について説明するための説明図である。
【図１３】同実施形態に係る表示装置の駆動方法に基づく駆動タイミングの一例について説明するための説明図である。
【図１４】本発明の第４の実施形態に係る表示データと、画素回路が有する発光素子の発光状態との一例を示す説明図である。
【図１５】同実施形態に係る表示装置の構成の一例について説明するための説明図である。
【図１６】同実施形態に係る画素回路の構成の一例について説明するための説明図である。
【図１７】同実施形態に係る検出回路の構成の一例について説明するための説明図である。
【図１８】同実施形態に係る検出回路の構成の一例について説明するための説明図である。
【図１９】同実施形態に係る検出回路の構成の一例について説明するための説明図である。
【図２０】同実施形態に係る表示装置の駆動方法に基づく走査線の選択に係る動作の推移について説明するための説明図である。
【図２１】同実施形態に係る表示装置の駆動方法に基づく駆動タイミングの一例について説明するための説明図である。
【発明を実施するための形態】
【００２５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２６】
（本発明の実施形態に係る表示装置）
本発明の実施形態に係る表示装置の駆動方法について説明する前に、本発明の実施形態に係る表示装置の駆動方法に係る処理を行うことが可能な、本発明の実施形態に係る表示装置の構成の一例について説明する。なお、本発明の実施形態に係る表示装置の構成が、後述する例に限られないことは、言うまでもない。
【００２７】
以下では、本発明の実施形態に係る表示装置が、有機ＥＬ素子を発光素子として有する有機ＥＬディスプレイである場合を例に挙げる。なお、本発明の実施形態に係る表示装置は、有機ＥＬディスプレイに限られない。例えば、本発明の実施形態に係る表示装置としては、無機ＥＬ素子（Inorganic  Electro  Luminescence  Element）など、電流が流れることにより発光する任意の発光素子を有する表示装置や、液晶ディスプレイ（Liquid  Crystal  Display）など、サブフレーム駆動方法を適用することが可能な、任意の表示装置が挙げられる。
【００２８】
＜１．第１の実施形態＞
［１．１．表示装置の構成］
まず、図１を参照して、本発明の第１の実施形態に係る表示装置の概略構成の一例について説明する。図１は、第１の実施形態に係る表示装置の構成の一例について説明するための説明図である。図１に示すように、本実施形態に係る表示装置１００は、表示部１０２と、走査線駆動回路１２０と、データ線駆動回路１３０とを有する。
【００２９】
表示部１０２は、複数の画素回路１１０を有し、データ信号に対応する画像を表示画面に表示させる。画素回路１１０それぞれは、互いに直交する方向に配置された複数の走査線１１２と複数のデータ線１１４との交差箇所それぞれに対応して配置される。即ち、複数の走査線１１２が配された方向を行方向（Ｙ方向）とし、複数のデータ線１１４が配された方向を列方向（Ｘ方向）として、複数の画素回路１１０が、マトリクス（Matrix）状に配置される。なお、以降では、図１に示すように、走査線１１２が行方向（Ｙ方向）に沿って２４０本配され、データ線１１４が、列方向（Ｘ方向）に沿って３２０本配されているものとして説明する。また、画素回路１１０の構成の一例については、別途後述する。
【００３０】
また、表示部１０２には、図示しない上位の制御回路から、発光用電源電圧ＥＬＶＤＤと発光用電源電圧ＥＬＶＳＳとがそれぞれ供給される。発光用電源電圧ＥＬＶＤＤと発光用電源電圧ＥＬＶＳＳとは、例えば、画素回路１１０が有する発光素子を発光させるための電流を供給する信号である。
【００３１】
特に、本実施形態に係る表示装置１００は、例えば、サブフレーム駆動と呼ばれる方式のように、１フレーム中に設けられた点灯期間中において、発光素子が発光する期間が占める割合に応じて異なる階調表示を実現する。そのため、画素回路１１０が有する発光素子を発光させるための電流は、例えば、１フレーム中に設けられた点灯期間中に継続的に発光素子を発光させた場合に、全白輝度が得られる電流値に設定されることが望ましい。発光用電源電圧ＥＬＶＤＤは、発光用電源電圧信号線１１５を介して各画素回路１１０に供給され、発光素子用電源電圧ＥＬＶＳＳは、図示しない共通電極から各画素回路１１０に供給される。なお、フレームと点灯期間との関係については、別途後述する。
【００３２】
走査線駆動回路１２０は、図示しない上位の制御回路から供給されるアドレス信号Ａｄｙで指定された行の走査線１１２に対して、Ｌレベルの走査信号を排他的に出力する一種のアドレスデコーダで構成される。なお、１、２、３、…、２４０行目の走査線１１２に供給される走査信号をそれぞれＧ１、Ｇ２、Ｇ３、…、Ｇ２４０と表記し、そのうちの１つの走査信号を、「Ｇｉ」（ｉは、１≦ｉ≦２４０の整数）と示す。
【００３３】
データ線駆動回路１３０は、１〜３２０列目のデータ線１１４に、データ信号としてＨレベルまたはＬレベルのデータビットを供給する。ここで、１、２、３、…、３２０列目のデータ線１１４に供給されるデータビットを、それぞれＤ１、Ｄ２、Ｄ３、…、Ｄ３２０と表記し、そのうちの１つのデータビットを、「Ｄｊ」（ｊは、１≦ｊ≦３２０の整数）と示す。より具体的には、データ線駆動回路１３０は、例えば、図示しない制御回路から供給される８ビットの表示データＤｓｆをサンプリングして、サンプリングしたデータ信号をデータ線１１４に供給する。
【００３４】
データ線駆動回路１３０は、シフトレジスタ回路１３２と、サンプル・ホールド回路１３４とを備える。
【００３５】
シフトレジスタ回路１３２は、例えば、図示しない上位の制御回路から供給されるアドレスＡｄｙによって１行の走査線が選択される期間の開始時に、水平同期信号Ｄｘをクロック信号ＣＬＫに同期して順次シフトさせる。そして、シフトレジスタ回路１３２は、例えば、シフトした信号の幅を、クロック信号ＣＬＫの半周期に狭めて、Ｈレベルのサンプリング信号Ｓ１、Ｓ２、S３、…、Ｓ４０を、順次、排他的にサンプル・ホールド回路１３４へ伝達する。
【００３６】
サンプル・ホールド回路１３４は、例えば、シフトレジスタ回路１３２から伝達されるサンプリング信号Ｓ１〜Ｓ４０に基づいて、８本をひとつのブロックとして、順次データ線１１４を選択する。そして、制御回路から供給される表示データＤｓｆをラッチして保持し、１行分のデータ信号が保持されたところで、水平同期信号Ｄｘと同期して、保持されているデータ信号をデータ線１１４に一括して出力する。
【００３７】
［１．２．画素回路の構成］
次に、図２を参照して、本実施形態に係る画素回路の構成の一例について説明する。図２は、本実施形態に係る画素回路の構成の一例について説明するための説明図である。
【００３８】
図２では、図１に示す表示部１０２を構成する複数の画素回路１１０のうち、ｉ行ｊ列の交差箇所に対応して配置される画素回路１１０の一例を示している。また、表示部１０２を構成する他の画素回路１１０については、図２に示す画素回路１１０の構成と同様の構成をとることが可能であるため、詳細な説明を省略する。
【００３９】
画素回路１１０は、発光素子ＥＬと、第１のスイッチ素子Ｍ１と、第２のスイッチ素子Ｍ２と、第３のスイッチ素子Ｍ３と、容量Ｃ１とを有する。
【００４０】
第１のスイッチ素子Ｍ１は、発光用電源電圧信号線１１５と発光素子ＥＬのアノード端子との間の配線経路上に配置され、データ線１１４と第２のスイッチ素子Ｍ２とを介してゲート端子に伝達されるデータビットＤｊに応じて、オンまたはオフする。
【００４１】
第２のスイッチ素子Ｍ２は、ソース端子がデータ線１１４に接続され、ドレイン端子が第１のスイッチ素子Ｍ１のゲート端子に接続されており、走査線１１２を介してゲート端子に伝達される走査信号Ｇｉに応じて、オンまたはオフする。
【００４２】
容量Ｃ１は、第１のスイッチ素子Ｍ１のゲート端子に一方の端子が接続され、他方の端子が発光用電源電圧信号線１１５に接続されており、第１のスイッチ素子Ｍ１のゲート端子の電位を保持する。
【００４３】
第３のスイッチ素子Ｍ３は、ソース端子が第１のスイッチ素子Ｍ１のドレイン端子に接続され、ドレイン端子が発光素子ＥＬのアノード端子に接続されており、制御信号線１１３を介してゲート端子に伝達される制御信号ＥＭに応じて、オンまたはオフする。
【００４４】
ここで、走査線１１２から伝達される走査信号ＧｉがＬレベルになると、第２のスイッチ素子Ｍ２がオンし、データ線１１４から伝達されるデータビットＤｊが画素回路１１０に取り込まれる。なお、データビットＤｊは、ＨレベルまたはＬレベルの信号である。また、走査線１１２から伝達される走査信号ＧｉがＨレベルになると、第２のスイッチ素子Ｍ２がオフし、データ線１１４から伝達されるデータビットＤｊが容量Ｃ１に保持される。
【００４５】
画素回路１１０では、データ線１１４から伝達されて容量Ｃ１に保持されたデータビットＤｊの信号レベルに応じて第１のスイッチ素子Ｍ１が選択的にオン状態となることによって、発光素子ＥＬの発光状態が制御される。
【００４６】
例えば、容量Ｃ１に保持されたデータビットＤｊの信号レベルがＨレベルの場合には、第１のスイッチ素子Ｍ１はオフ状態となり、発光素子ＥＬに電流が供給されずに発光素子ＥＬは非発光状態となる。また、容量Ｃ１に保持されたデータビットＤｊの信号レベルがＬレベルの場合には、第１のスイッチ素子Ｍ１はオン状態となり、制御信号線１１３から伝達される制御信号ＥＭがＬレベルになると、第３のスイッチ素子Ｍ３がオン状態となる。これにより、発光素子ＥＬに電流が供給されて発光素子ＥＬは発光状態となる。一方、制御信号ＥＭがＨレベルの場合には、第３のスイッチ素子Ｍ３がオフ状態となるため、第１のスイッチ素子Ｍ１の状態に関わらず、発光素子ＥＬに電流が供給されずに発光素子ＥＬは非発光状態となる。
【００４７】
なお、以降では、第１のスイッチ素子Ｍ１がオン状態となっている場合を「発光可能状態」と呼ぶ場合がある。即ち、発光可能状態は、第３のスイッチ素子Ｍ３がオン状態に制御されることで、発光素子ＥＬを発光させることが可能な状態を示している。また、第１のスイッチ素子Ｍ１または第３のスイッチ素子Ｍ３がオフ状態となっている場合を「非発光状態」と呼ぶ場合がある。
【００４８】
前述したように、本実施形態に係る表示装置１００は、１フレーム中に設けられた点灯期間中において、発光素子が発光する期間が占める割合に応じて異なる階調表示を実現する。具体的には、表示装置１００は、１フレームを消灯期間と点灯期間に分割し、点灯期間を複数のサブフレームに分割する。そして、表示装置１００は、分割したサブフレームそれぞれにおいて、データ線１１４に供給されるデータビットＤｊをＨレベルまたはＬレベルとすることにより、画素回路１１０の非発光または発光状態を制御する（即ち、サブフレーム駆動と呼ばれる方式で動作する）。このような構成により、点灯期間中において発光状態に制御されるサブフレーム数に応じて、異なる階調を表現することが可能となる。なお、消灯期間および点灯期間の詳細については、別途後述する。
【００４９】
なお、１フレームの期間は、表示装置の構成や表示対象となる映像の規格等に応じて適宜設定することが可能である。具体的な一例として、フレーム周波数６０［Ｈｚ］の１周期分を１フレームとした場合には、１フレームの期間は、１６．７［ｍｓｅｃ］となる。
【００５０】
［１．３．課題の整理］
次に、本実施形態に係る表示装置の駆動方法に関する説明に先立ち、図３を参照しながら、比較例に係る表示装置の駆動方法について説明することで、本実施形態に係る表示装置の課題について整理する。図３は、比較例に係る表示装置の駆動方法について説明するための説明図であり、所謂サブフレーム駆動を用いた表示装置における走査線の選択の推移について説明するための説明図である。
【００５１】
図３に示すように、比較例に係る表示装置は、１行目の走査線の走査タイミングを順次シフトしながら全走査線に対して適用する、所謂飛越し走査方式サブフレーム駆動方法に基づき動作する。このような構成により、比較例に係る表示装置は、選択された走査線に接続された画素回路へのデータ信号の供給が完了すると、他の走査線に接続された画素回路へのデータ信号の供給を待たずに、当該選択された走査線に接続された画素回路をオン状態に制御することが可能となる。そのため、比較例に係る表示装置は、１水平期間を最大化することが可能となる。
【００５２】
なお、比較例に係る表示装置において、１水平期間１Ｈは、フレーム周波数をＦ[Ｈｚ]、走査線数をｍ［Ｌｉｎｅ］、サブフレーム数をＮｓｆ［ＳＦ］とすると、下記の数式１に示す演算に基づき設定される。
【００５３】
【数１】
2015187641.tif 000003
【００５４】
上記に示した数式１において、フレーム周波数Ｆ＝６０［Ｈｚ］、走査線数ｍ＝２４０［Ｌｉｎｅ］、サブフレーム数Ｎｓｆ＝４［ＳＦ］とすると、１水平期間１Ｈは、１Ｈ＝１７．４［μｓｅｃ］となる。
【００５５】
一方で、比較例に係る表示装置は、走査タイミングが走査線ごとに時系列に沿ってシフトする構成のため、Ｎ（Ｎは、Ｎ≧１の整数）番目フレームの画像の表示が、Ｎ＋１番目フレームにおいても引き続き行われる。即ち、比較例に係る表示装置では、１フレーム内に異なるフレームに対応した複数の画像が表示されることとなる。
【００５６】
そのため、上述した駆動方法を、例えば、Ｎ番目のフレーム期間を左眼用画像の表示期間とし、Ｎ＋１番目フレーム期間を右眼用画像の表示期間とした、所謂シャッター方式の３Ｄ表示装置に適用した場合には、１フレーム内に右眼用画像と左眼用画像とが混在することになり、所謂クロストークが生じる。即ち、両眼のそれぞれにおいて、左眼用画像及び右眼用画像の双方が観測されることとなるため、ボケや２重像等の画像の劣化が生じ、鮮明な画像による立体視表現を視聴者に対して提供することが困難となる場合がある。
【００５７】
また、１フレーム内に異なるフレームに対応した複数の画像が表示されることによる画像表示への影響は、シャッター方式の３Ｄ表示装置に適用した場合におけるクロストークの問題のみとは限らない。例えば、発光させる画素回路の数（即ち、白の輝度を示す画素の数）に応じて輝度を制御する、所謂ピーク輝度制御と呼ばれる技術がある。このようなピーク輝度制御を行う場合においても、１フレーム内に異なるフレームに対応した複数の画像が表示されることで、当該複数の画像に対応する輝度設定が混在することとなる。このとき、１フレーム内に表示される複数の画像間で、異なる輝度が設定されている場合には、実際に想定されている輝度とは異なる設定で、各画像がユーザに観測されることとなる場合がある。
【００５８】
そこで、本実施形態に係る表示装置では、飛越し走査方式サブフレーム駆動方法を適用することで１フレーム中において全画素回路がオフ状態となる消灯期間を最低限に抑え、かつ、フレームごとに当該フレームに対応する画像のみを表示可能とすることを目的とする。
【００５９】
［１．４．駆動方法］
＜＜１．４．１．駆動タイミングの設定手順＞＞
以下に、本実施形態に係る表示装置の駆動方法について説明する。まず、図４及び図５を参照しながら、本実施形態に係る表示装置の駆動方法に係る、当該表示装置の駆動タイミングの設定手順の一例について説明する。図４及び図５は、本実施形態に係る表示装置の駆動方法に係る、表示装置の駆動タイミングの設定手順の一例について説明するための説明図である。
【００６０】
図４に示すように、本説明では、表示装置１００は、走査線数ｍ＝２４０［Ｌｉｎｅ］、サブフレーム数Ｎｓｆ＝４［ＳＦ］、階調ビット数Ｎｂ＝４［ｂｉｔ］とし、階調数Ｎｄｖ＝１５［Ｌｅｖｅｌ］の階調表示を行うものとして説明する。なお、以降では、４［ＳＦ］のサブフレームのそれぞれを「ＳＦ０」、「ＳＦ１」、「ＳＦ２」、「ＳＦ３」と記載する場合がある。
【００６１】
本実施形態に係る表示装置１００は、サブフレームＳＦ０〜ＳＦ３のうち、画素回路をオン状態とするサブフレームの組み合わせに応じて、階調ビット数Ｎｂ＝４［ｂｉｔ］、階調数Ｎｄｖ＝１５［Ｌｅｖｅｌ］の階調表示を実現する。
【００６２】
例えば、図５は、サブフレームＳＦ０〜ＳＦ３のうち、画素回路をオン状態とするサブフレームの組み合わせと、各階調との対応関係の一例を示している。図５に示す例では、ＳＦ０をＬＳＢ（Least  Significant  Bit）に対応させ、ＳＦ３をＭＳＢ（Most  Significant  Bit）に対応させている。
【００６３】
また、サブフレームＳＦ０、ＳＦ１、ＳＦ２、ＳＦ３のそれぞれの理想的な時間的重み付けを、「ＷＩ０」、「ＷＩ１」、「ＷＩ２」、「ＷＩ３」と表すと、本実施形態に係る各サブフレームの理想的な時間的重み付けは、例えば、下記の数式２に示す演算により設定される。ここで、数式２に示す“ｋ”は、０≦ｋ≦３を満たす整数である。
【００６４】
【数２】
2015187641.tif 000004
【００６５】
なお、本実施形態では、整数ｋをサブフレームの配置を表す数値としても用いることとし、ｋ番目のサブフレームを「ＳＦｋ」と記載する場合がある。上記数式２より、各サブフレームの理想重み付けＷＩｋは、ＷＩ０＝１、ＷＩ１＝２、ＷＩ２＝４、ＷＩ３＝８となる。
【００６６】
上記数式２に基づきサブフレームＳＦ０〜ＳＦ３のそれぞれを重み付けすることで、画素回路をオン状態とするサブフレームの組み合わせに応じて、階調ビット数Ｎｂ＝４［ｂｉｔ］、階調数Ｎｄｖ＝１５［Ｌｅｖｅｌ］の階調表示を実現することが可能となる。
【００６７】
具体的な一例として、サブフレームＳＦ０のみをＬレベルに設定した場合には、画素回路は、点灯期間中に当該サブフレームＳＦ０の期間分、即ち、重みＷＩ０＝１の期間分だけ点灯するように制御される。また、サブフレームＳＦ１のみをＬレベルに設定した場合には、画素回路は、点灯期間中に当該サブフレームＳＦ１の期間分、即ち、重みＷＩ１＝２の期間分だけ点灯するように制御される。さらに、サブフレームＳＦ０及びＳＦ１をＬレベルに設定した場合には、画素回路は、点灯期間中にサブフレームＳＦ０及びＳＦ１の期間分、即ち、重みＷＩ０＋ＷＩ１＝３の期間分だけ点灯するように制御される。
【００６８】
以上説明した構成により、本実施形態に係る表示装置１００は、サブフレームＳＦ０〜ＳＦ３のうちＬレベルに設定する（即ち、画素回路をオン状態とする）サブフレームの組み合わせに応じて、階調数Ｎｄｖ＝１５［Ｌｅｖｅｌ］の階調表示を実現する。
【００６９】
次に、図６を参照しながら、本実施形態に係る表示装置の駆動方法に基づく走査線の選択に係る動作の推移について説明する。図６は、本実施形態に係る表示装置の駆動方法に基づく走査線の選択に係る動作の推移について説明するための説明図である。
【００７０】
図６に示すように、本実施形態に係る表示装置１００では、１フレーム内には、消灯期間と、消灯期間以降に設定された点灯期間とが含まれる。点灯期間は、サブフレームＳＦ０〜ＳＦ３に分割されており、表示装置１００は、画素回路をオン状態とするサブフレームの組み合わせに応じて、点灯期間中において画素回路がオン状態となる期間が占める割合を制御することで、所望の階調表示を実現する。なお、点灯期間が「表示期間」の一例に相当する。
【００７１】
このとき、１行目の走査線１１２に対して、サブフレームの時間的重み付けに対応して走査タイミングが設定され、当該走査タイミングの設定が、点灯期間中の時系列に沿って順次シフトしながら、その他の走査線１１２それぞれに対して適用される。この走査線１１２ごとの走査タイミングの設定に関して、図７を参照しながらさらに詳しく説明する。図７は、各走査線に対して走査タイミングを設定する方法の一例について説明するための説明図である。
【００７２】
図７に示す例では、１行目、６５行目、１３１行目の走査線１１２に着目し、各走査線１１２に対して設定された走査タイミングを模式的に示している。例えば、１行目の走査線１１２には、点灯期間中の参照符号Ｐ１１で示された時点（即ち、点灯期間が開始する時点）を基準点として、サブフレームＳＦ０〜ＳＦ３が、この順序で当該点灯期間に対して順次割り当てられている。このとき、サブフレームＳＦ０の開始タイミング、即ち、サブフレームＳＦ０に対する走査タイミングは参照符号Ｐ１１で示された時点となる。
【００７３】
これに対して、１３１行目の走査線１１２は、１行目の走査線１１２に対して、サブフレームＳＦ０の開始タイミングが点灯期間の時系列に沿ってシフトしており、参照符号Ｐ３１で示された時点に設定される。このとき、１３１行目の走査線１１２には、時点Ｐ３１を基準点として、点灯期間が終了する時点Ｐ３３まで、サブフレームＳＦ０〜ＳＦ２が割り当てられ、サブフレームＳＦ３については、同点灯期間中の基準点（即ち、時点Ｐ３１）の直前に割り当てられる。
【００７４】
また、６５行目の走査線１１２に対する走査タイミングの設定例は、基準点に基づきサブフレームＳＦ０〜ＳＦ３を点灯期間に対して割り当てた場合に、点灯期間が終了する時点が一部のサブフレーム中に位置する場合の一例を示している。例えば、図７に示す、６５行目の走査線１１２の設定例では、参照符号Ｐ２５で示された点灯期間が終了する時点が、サブフレームＳＦ３中に位置している。この場合には、サブフレームＳＦ３中において時点Ｐ２５以前に位置する期間（サブフレームＳＦ３（１））が、サブフレームＳＦ２の終了する時点Ｐ２３と点灯期間が終了する時点Ｐ２５との間に割り当てられる。また、サブフレームＳＦ３中において時点Ｐ２５より後に位置する期間（サブフレームＳＦ３（２））については、基準点Ｐ２１の直前に割り当てられる。
【００７５】
このように、本実施形態に係る表示装置１００では、各走査線１１２それぞれには、点灯期間中におけるいずれかの時点を基準点とし、当該基準点を起点として一連のサブフレーム（即ち、サブフレームＳＦ０〜ＳＦ３）があらかじめ決められた順序で巡回的に割り当てられる。このとき、各走査線１１２に対応する基準点は、例えば、点灯期間中の時系列に沿って順次シフトしながら、各走査線１１２間で互いに異なる時点となるように設定される。
【００７６】
このような構成により、各走査線１１２の走査タイミングが、当該走査線１１２に対応して点灯期間中に割り当てられたサブフレームＳＦ０〜ＳＦ３それぞれの開始タイミングに設定される。
【００７７】
また、図６及び図７を参照するとわかるように、本実施形態に係る表示装置１００では、点灯期間の開始時にサブフレームＳＦ０〜ＳＦ３のうちのどのサブフレームに対応して動作するかが、走査線１１２に応じて異なる。そのため、本実施形態に係る表示装置１００では、点灯期間の開始の事前に、各走査線１１２に接続された画素回路１１０に対して、対応するサブフレームに応じたデータ信号を供給する必要があり、当該データ信号の供給が消灯期間中に行われる。なお、消灯期間が「準備期間」の一例に相当する。また、点灯期間中及び消灯期間中における表示装置１００の動作の詳細については別途後述する。
【００７８】
ここで、改めて図６を参照しながら、本実施形態に係る表示装置の駆動方法に基づく走査線の選択に係る動作の推移についてさらに詳しく説明する。なお、本説明では、走査線１１２それぞれに対する走査タイミングの詳細な設定方法についてもあわせて説明する。
【００７９】
なお、以降の説明では、本実施形態に係るユニット（Unit）として、“点灯期間において、サブフレーム数Ｎｓｆ個のデータ信号（ＳＦ０、ＳＦ１、ＳＦ２、ＳＦ３のデータ信号）が供給される、連続するサブフレーム数Ｎｓｆ個の水平期間”と定義する。この場合には、点灯期間のユニット数Ｎｕは、例えば、下記の数式３に示す演算により設定される。
【００８０】
【数３】
2015187641.tif 000005
【００８１】
上記数式３より、１フレームをｍ個の均等な期間に分割し、分割した各期間が、１ユニットに該当する。
【００８２】
本実施形態では、図４に示すように、走査線数ｍ＝２４０であるため、点灯期間のユニット数Ｎｕは、Ｎｕ＝２４０［Ｕｎｉｔ］となる。
【００８３】
ここで、上記のように点灯期間のユニット数Ｎｕを求めることは、各サブフレームの重み付けを、ユニット単位で設定することを意味する。換言すれば、サブフレームの重み付けは１［Ｕｎｉｔ］が最小となる。
【００８４】
次に、１フレームの水平期間数を設定する。消灯期間の水平期間数Ｎｄｘ１は、例えば、下記の数式４に示す演算により設定される。
【００８５】
【数４】
2015187641.tif 000006
【００８６】
本実施形態では、図４に示すように、走査線数ｍ＝２４０［Ｌｉｎｅ］であるため、消灯期間の水平期間数Ｎｄｘ１は、Ｎｄｘ１＝２４０［Ｈ］となる。点灯期間の水平期間数Ｎｄｘ２は、例えば下記の数式５に示す演算により設定される。
【００８７】
【数５】
2015187641.tif 000007
【００８８】
本実施形態では、図４に示すように、走査線数ｍ＝２４０［Ｌｉｎｅ］、サブフレーム数Ｎｓｆ＝４［ＳＦ］であるため、点灯期間の水平期間数Ｎｄｘ２は、Ｎｄｘ２＝９６０［Ｈ］となる。
【００８９】
各サブフレームの理想重み付けＷＩｋに基づいて、点灯期間の水平期間数Ｎｄｘ２を各サブフレームの重み付けに割り振ると、各サブフレームの水平期間単位の実際のパルス幅ＰＨｋは、例えば、ＰＨ０＝６５［Ｈ］、ＰＨ１＝１２５［Ｈ］、ＰＨ２＝２５３［Ｈ］、ＰＨ３＝５０９［Ｈ］となる。
【００９０】
さらに、各サブフレームの点灯期間の水平期間単位の実際のパルス幅ＰＨｋに基づいて、各サブフレームの重み付けに略一致するように、点灯期間の１行目の走査線１１２の走査タイミングを決定すると、点灯期間の１行目の走査線１１２の走査タイミングＳＳｋは、例えば、ＳＳ０＝０［Ｈ］、ＳＳ１＝６５［Ｈ］、ＳＳ２＝１９０［Ｈ］、ＳＳ３＝４４３［Ｈ］となる。
【００９１】
各ユニットにおいて各サブフレームに対応して選択される走査線ＳＬｋは、上記点灯期間の１行目の走査線１１２の走査タイミングＳＳｋに基づいて設定される。より具体的には、まず、０≦Ｕｎ≦２３９を満たすユニット番号Ｕｎを用いて、下記の数式６で示す条件式を定義する。
【００９２】
【数６】
2015187641.tif 000008
【００９３】
上記数式６に示す条件式が成立する場合、各ユニットにおいて各サブフレームに対応して選択される走査線ＳＬｋは、例えば下記の数式７に示す演算により設定される。
【００９４】
【数７】
2015187641.tif 000009
【００９５】
また、上記数式６に示す条件式が成立しない場合には、各ユニットにおいて各サブフレームに対応して選択される走査線ＳＬｋは、例えば下記の数式８に示す演算により設定される。
【００９６】
【数８】
2015187641.tif 000010
【００９７】
第１の実施形態に係る表示装置の駆動方法が用いられる場合には、表示装置１００は、１行目の走査線１１２の走査タイミングＳＳｋで定義したタイミングを、順次シフトしながら全走査線１１２に対して適用する。よって、表示装置１００は、例えば、２４０本の走査線を、一定のタイミングで選択する動作を行う。上記数式６〜上記数式８は、例えば、選択する走査線が２４０行目の走査線以上になった場合に、選択する走査線の行をリセットするための条件式に相当し、上記数式６〜上記数式８によって、表示装置１００では、各ユニットの各サブフレームにおける走査線の選択行が決定される。
【００９８】
なお、本施形態に係る表示装置の駆動方法が用いられる場合には、１水平期間１Ｈは、下記の数式９に示す演算により設定される。
【００９９】
【数９】
2015187641.tif 000011
【０１００】
本実施形態では、図４に示すように、走査線数ｍ＝２４０［Ｌｉｎｅ］、サブフレーム数Ｎｓｆ＝４［ＳＦ］であるため、フレーム周波数Ｆ＝６０［Ｈｚ］とすれば、１水平期間１Ｈは、１Ｈ＝１３．９［μｓｅｃ］となる。
【０１０１】
これは、上記数式９から明らかなように、例えば、図３に示した比較例に係る方式において、サブフレーム数をＮｓｆ＋１［ＳＦ］として駆動した場合の１水平期間の時間に等しい。つまり、高精細化に伴い走査線数ｍが増加し、多階調化に伴いサブフレーム数Ｎｓｆが増加するにつれて、本時実施形態に係る表示装置の駆動方法によって設定される１水平期間は、図３に示した比較例に係る方式に対して、差が小さくなっていくことになる。
【０１０２】
＜＜１．４．２．点灯期間における表示装置の動作＞＞
次に、図８を参照して、点灯期間における、本実施形態に係る表示装置の駆動方法に基づく表示装置１００の駆動タイミングの一例について説明する。図８は、本実施形態に係る表示装置の駆動方法に基づく駆動タイミングの一例について説明するための説明図である。
【０１０３】
ここで、図８は、表示装置１００が３２０本のデータ線１１４と２４０本の走査線１１２とを有する場合の、駆動タイミングの一例を示している。なお、図６に示す例では、サンプル・ホールド回路１３４は、シフトレジスタ回路１３２から伝達されるサンプリング信号Ｓ１〜Ｓ４０に基づいて、８本のデータ線１１４をまとめたブロックごとに順次データ線１１４を選択している。
【０１０４】
このときの画素回路１１０の動作について、図２に示す画素回路１１０の構成をあわせて参照しながら説明する。表示装置１００は、点灯期間において、制御信号ＥＭをＬレベルに設定して、一連の画素回路１１０の第３のスイッチ素子Ｍ３をオン状態に切り替える。これにより、各画素回路１１０の容量Ｃ１に保持されたデータビットＤｊの信号レベルに応じて第１のスイッチ素子Ｍ１が選択的にオン状態となり、当該画素回路１１０の発光素子ＥＬが発光状態に制御される。
【０１０５】
そして、表示装置１００は、サブフレームの配置順ｋを、水平同期信号Ｄｘに同期して０〜３までインクリメント（Increment）し、ｋ＝３になると水平同期信号Ｄｘに同期して０にリセット（Reset）することを繰り返す。また、表示装置１００は、垂直同期信号Ｄｙに同期してユニット番号Ｕｎを０にリセットし、サブフレームの配置順ｋが０にリセットされるタイミングに同期して、ユニット番号Ｕｎを０〜２３９までインクリメントする。
【０１０６】
表示装置１００は、例えば上記のような動作によって、ｋ＝０〜ｋ＝３までの４［Ｈ］を１［Ｕｎｉｔ］に設定する。
【０１０７】
また、表示装置１００は、例えば、上述した第１の実施形態に係る駆動タイミングの設定結果に基づいて、選択する走査線１１２を決定する。
【０１０８】
例えば、ユニット番号Ｕｎが０、サブフレームの配置順ｋが０の１水平期間では、サブフレームＳＦ０のデータビット書き込みとして、アドレスＡｄｙは１となり、表示装置１００は、１行目の走査線１１２を選択する。そのため、上記に示す例の場合には、表示装置１００の走査線駆動回路１２０は、例えば、Ｌレベルの走査信号Ｇ１を１行目の走査線１１２に出力する。
【０１０９】
また、例えば、サブフレームの配置順ｋが１の１水平期間では、サブフレームＳＦ１のデータビット書き込みとして、アドレスＡｄｙは２２５となり、この場合には、表示装置１００は、２２５行目の走査線１１２を選択することとなる。
【０１１０】
同様に、ユニット番号Ｕｎが１、サブフレームの配置順ｋが０の１水平期間では、サブフレームＳＦ０のデータビット書き込みとして、アドレスＡｄｙは２となり、この場合には、表示装置１００は、２行目の走査線１１２を選択する。よって、上記に示す例の場合には、表示装置１００の走査線駆動回路１２０は、例えば、Ｌレベルの走査信号Ｇ２を２行目の走査線１１２に出力する。
【０１１１】
上記に示す動作を繰り返すことによって、表示装置１００は、例えば、図６に示した点灯期間における各サブフレームの走査線選択の推移のように、１行目の走査線１１２の走査タイミングＳＳｋを、順次シフトしながら全走査線に対して適用することが可能となる。
【０１１２】
＜＜１．４．３．消灯期間における表示装置の動作＞＞
次に、図８を参照して、消灯期間における、本実施形態に係る表示装置の駆動方法に基づく表示装置１００の駆動タイミングの一例について説明する。表示装置１００は、点灯期間に先立つ消灯期間において、制御信号ＥＭをＨレベルにして、一連の画素回路１１０の第３のスイッチ素子Ｍ３（図２参照）をオフ状態に切り替える。これにより、各画素回路１１０の容量Ｃ１に保持されたデータビットＤｊの信号レベルに関わらず、当該画素回路１１０の発光素子ＥＬが非発光状態に制御される。
【０１１３】
当該画素回路１１０の発光素子ＥＬが非発光状態に制御されると、表示装置１００は、アドレスＡｄｙを、水平同期信号Ｄｘに同期して、１〜２４０までインクリメントし、全走査線を順次選択する。そして、表示装置１００は、選択した走査線に応じて、選択された走査線上の各画素回路の点灯期間開始時におけるデータビットＤｊ（即ち、点灯期間開始時におけるサブフレームに設定されたデータビットＤｊ）を、データ線１１４に出力する。
【０１１４】
ここで、図６及び図８を参照しながら、具体的な例を挙げて説明する。例えば、１行目の走査線１１２については、点灯期間の開始タイミングに、サブフレームＳＦ０が位置するように設定されている。そのため、１行目の走査線１１２が選択される水平期間においては、表示装置１００は、サブフレームＳＦ０のデータビットをデータ線１１４に出力する。
【０１１５】
次に、２行目〜１３１行目の走査線１１２に着目する。２行目〜１３１行目の走査線１１２については、点灯期間の開始タイミングに、サブフレームＳＦ３が位置するように設定されている。そのため、２行目〜１３１行目の走査線１１２が選択される連続する水平期間においては、表示装置１００は、サブフレームＳＦ３のデータビットをデータ線１１４に出力する。
【０１１６】
以下、同様にして、１３２行目〜１９４行目の走査線１１２が選択される連続する水平期間においては、表示装置１００は、サブフレームＳＦ２のデータビットをデータ線１１４に出力する。また、１９５行目〜２２５行目の走査線１１２が選択される連続する水平期間においては、表示装置１００は、サブフレームＳＦ１のデータビットをデータ線１１４に出力する。また、２２６行目〜２４０行目の走査線１１２が選択される連続する水平期間においては、表示装置１００は、サブフレームＳＦ０のデータビットをデータ線１１４に出力する。
【０１１７】
上記のような動作によって、表示装置１００は、消灯期間中に、予め、表示部１０２を構成する全ての画素回路１１０に対して、当該消灯期間の直後に設定された点灯期間の開始タイミングにおけるデータビットを書き込む。そして、消灯期間中における各画素回路１１０へのデータビットの書き込み完了後に、表示装置１００は、上述した点灯期間中の動作に基づき各走査線１１２を順次選択することで、当該走査線１１２に接続された画素回路１１０を駆動させる。
【０１１８】
このような構成により、本実施形態に係る表示装置１００では、Ｎ番目のフレーム期間においては、Ｎ番目のフレーム期間に対応する画像のみが表示されることとなる。そのため、本実施形態に係る表示装置１００は、画像の表示に係る制御をフレームごとに実行することが可能となる。具体的な一例として、画面上の発光面積に応じて画面全体の輝度を調整するピーク輝度制御が挙げられる。ピーク輝度制御を行う場合には、例えば、表示装置１００は、フレームごとに、発光用電源電圧ＥＬＶＤＤまたは発光用電源電圧ＥＬＶＳＳの電圧を調整すればよい。なお、発光面積は、発光する画素の数に比例する。
【０１１９】
また、上記に説明した構成により、本実施形態に係る表示装置１００は、全ての画素回路を消灯させる期間を、図６に示す消灯期間、即ち、全走査線１１２が排他的に１回ずつ走査される期間のみに抑えることが可能となる。換言すると、表示装置１００では、１フレーム中に当該フレームに対応する画像のみの表示を行うという制約のもと、サブフレーム駆動を行うための点灯期間を最大限に確保することが可能となる。
【０１２０】
また、本実施形態に係る表示装置１００では、前述の通り、各フレームに対応する画像が表示される点灯期間の合間に、消灯期間、即ち、黒表示が行われる期間が設けられることとなる。そのため、疑似輪郭、即ち、動体を表示させた場合の残像を軽減するという副次的な作用効果も得られる。なお、消灯期間は、少なくとも、全走査線１１２が排他的に１回ずつ走査される期間より長く設定されていれば、適宜調整することが可能である。
【０１２１】
＜２．第２の実施形態＞
次に、第２の実施形態に係る表示装置の駆動方法について説明する。本実施形態では、前述した第１の実施形態に係る表示装置を、Ｎ番目のフレーム期間を左眼用画像の表示期間とし、Ｎ＋１番目フレーム期間を右眼用画像の表示期間とした、所謂シャッター方式の３Ｄ表示装置に適用する場合の例について説明する。なお、以降では、図９を参照しながら、本実施形態に係る表示装置の駆動方法に基づく走査線の選択に係る動作の推移について、前述した第１の実施形態に係る表示装置の駆動方法と異なる部分について着目して説明する。図９は、第２の実施形態に係る表示装置の駆動方法に基づく走査線の選択に係る動作の推移について説明するための説明図である。
【０１２２】
図９に示す例では、Ｎ番目のフレーム期間を左眼用画像の表示期間とし、Ｎ＋１番目のフレーム期間を右眼用画像の表示期間として、各表示期間の間において両眼シャッターを切り替えて立体視表示を行う場合について、走査線の選択の推移の一例を示している。なお、本実施形態として説明する例では、立体表示に対応するために、フレーム周波数Ｆ＝１２０［Ｈｚ］として駆動するものとして説明する。
【０１２３】
また、本実施形態では、表示装置１００は、消灯期間を両眼シャッターの切り替え期間と同期させる。例えば、両眼シャッターの応答速度が２ｍｓである場合には、消灯期間も同様に２ｍｓに設定されるものとする。このとき、例えば、図４に示す設定に基づき１水平期間１Ｈを算出する場合には、走査線数ｍ＝２４０［Ｌｉｎｅ］、サブフレーム数Ｎｓｆ＝４［ＳＦ］であるため、フレーム周波数Ｆ＝１２０［Ｈｚ］となる。そのため、前述した数式９に示す演算に基づき、フレーム周波数Ｆ＝１２０［Ｈｚ］とすると、１水平期間１Ｈは、１Ｈ＝６．９［μｓｅｃ］となる。
【０１２４】
なお、消灯期間中には、全走査線２４０本を順次選択する必要があるが、全走査線を選択するために要する時間は、上記の１水平期間１Ｈより、約１．６６ｍｓとなるため、消灯期間中に全走査線を選択することが可能となる。
【０１２５】
以上説明したように、シャッターの切り替え期間中に表示部１０２を構成する全ての画素回路１１０に対してデータビットを書き込むことように構成することで、前述した第１の実施形態に係る表示装置を、シャッター方式の３Ｄ表示装置に適用することが可能となる。なお、本実施形態に係る表示装置１００は、前述した第１の実施形態に係る表示装置と同様に、Ｎ番目のフレーム期間においては、Ｎ番目のフレーム期間に対応する画像のみが表示されることとなる。そのため、本実施形態に係る表示装置１００は、例えば、前述した比較例（図３）のように、１フレーム内に右眼用画像と左眼用画像とが混在するという事態の発生を防止し、クロストークの影響を受けていない鮮明な画像による立体視表現を視聴者に対して提供することが可能となる。
【０１２６】
＜３．第３の実施形態＞
［３．１．表示装置の構成］
次に、第３の実施形態に係る表示装置１００について説明する。まず、図１０を参照して、本実施形態に係る表示装置の構成の一例について、前述した第１の実施形態に係る表示装置の構成と異なる部分に着目して説明する。図１０は、第３の実施形態に係る表示装置１００の構成の一例について説明するための説明図である。
【０１２７】
図１０に示すように、本実施形態に係る表示装置２００は、表示部２０２と、走査線駆動回路２２０と、データ線駆動回路１３０とを有する。
【０１２８】
表示部２０２は、複数の画素回路２１０を有し、データ信号に対応する画像を表示画面に表示させる。画素回路２１０それぞれは、互いに直交する方向に配置された複数の走査線１１２と複数のデータ線１１４との交差箇所それぞれに対応して配置される。即ち、複数の走査線１１２が配された方向を行方向（Ｙ方向）とし、複数のデータ線１１４が配された方向を列方向（Ｘ方向）として、複数の画素回路２１０が、マトリクス（Matrix）状に配置される。なお、以降では、図１０に示すように、走査線１１２が行方向（Ｙ方向）に沿って２４０本配され、データ線１１４が、列方向（Ｘ方向）に沿って３２０本配されているものとして説明する。また、画素回路２１０の構成の一例については、別途後述する。
【０１２９】
また、表示部２０２には、図示しない上位の制御回路から、発光用電源電圧ＥＬＶＤＤと発光用電源電圧ＥＬＶＳＳとがそれぞれ供給される。発光用電源電圧ＥＬＶＤＤと発光用電源電圧ＥＬＶＳＳとは、例えば、画素回路２１０が有する発光素子を発光させるための電流を供給する信号である。
【０１３０】
さらに、表示部２０２には、図示しない上位の制御回路から、初期化電圧Ｖｉｎｔが供給される。初期化電圧Ｖｉｎｔは、後述する画素回路２１０の駆動トランジスタＤＴをオン状態にするための電圧信号である。
【０１３１】
なお、本実施形態に係る表示装置２００は、前述した第１の実施形態に係る表示装置１００と同様に、サブフレーム駆動と呼ばれる方式に基づき、異なる階調表示を実現するものとして説明する。
【０１３２】
走査線駆動回路２２０は、アドレスデコーダ回路２２２と、ＡＮＤ回路２２４とを備える。
【０１３３】
ＡＮＤ回路２２４は、アドレスデコーダ回路２２２の出力端子と走査線１１２の間に設けられている。このとき、ＡＮＤ回路２２４の一方の入力端子は、アドレスデコーダ回路２２２の出力端子に接続され、他方の入力端子は、図示しない上位の制御回路から供給される一括選択信号ＧＳＬに接続されており、出力端子が走査線１１２に接続される。
【０１３４】
走査線駆動回路２２０は、一括選択信号ＧＳＬがＨレベルになると、アドレスデコーダ回路２２２の各出力端子の出力状態を、ＡＮＤ回路２２４が対応する走査線１１２に伝達する。このとき、走査線駆動回路２２０は、図示しない上位の制御回路から供給されるアドレス信号Ａｄｙで指定された行の走査線１１２に対して、Ｌレベルの走査信号を排他的に出力する。また、一括選択信号ＧＳＬがＬレベルになると、アドレスデコーダ回路２２２の各出力端子の出力状態に関わらず、ＡＮＤ回路２２４の出力はＬレベルとなり、全走査線１１２にＬレベルの走査信号が出力される。
【０１３５】
［３．２．画素回路の構成］
次に、図１１を参照して、本実施形態に係る画素回路の構成の一例について説明する。図１１は、本実施形態に係る画素回路の構成の一例について説明するための説明図である。
【０１３６】
図１１では、図１０に示す表示部２０２を構成する複数の画素回路２１０のうち、ｉ行ｊ列の交差箇所に対応して配置される画素回路２１０の一例を示している。また、表示部２０２を構成する他の画素回路２１０については、図１１に示す画素回路２１０の構成と同様の構成をとることが可能であるため、詳細な説明を省略する。
【０１３７】
画素回路２１０は、発光素子ＥＬと、スイッチ回路１４１と、定電流回路２４３と、第３のスイッチ素子Ｍ３を有する。
【０１３８】
スイッチ回路１４１は、第１の実施形態に係る表示装置が有する画素回路のスイッチ回路１４１の構成、即ち、第１のスイッチ素子Ｍ１、第２のスイッチ素子Ｍ２、及び容量Ｃ１で構成される部分と同様である。即ち、スイッチ回路１４１は、第１のスイッチ素子Ｍ１をオンまたはオフすることにより、定電流回路２４３への発光用電源電圧ＥＬＶＤＤに基づく電流の供給を制御する。
【０１３９】
定電流回路２４３は、駆動トランジスタＤＴと、第４のスイッチ素子Ｍ４と、第５のスイッチ素子Ｍ５と、容量Ｃ２とを有する。
【０１４０】
第４のスイッチ素子Ｍ４は、ソース端子が初期化電圧信号線２１４に接続され、ドレイン端子が駆動トランジスタＤＴのゲート端子に接続されており、初期化信号線２１３を介してゲート端子に伝達される初期化制御信号ＩＮＴに応じて、オンまたはオフする。
【０１４１】
第５のスイッチ素子Ｍ５は、ソース端子が定電流設定データ電圧信号線２１５に接続され、ドレイン端子が駆動トランジスタＤＴのソース端子に接続されており、制御信号線２１２を介してゲート端子に伝達される制御信号ＧＣに応じて、オンまたはオフする。
【０１４２】
第６のスイッチ素子Ｍ６は、駆動トランジスタＤＴのゲート端子とドレイン端子に、各々の端子が接続されており、制御信号線２１２を介してゲート端子に伝達される制御信号ＧＣに応じて、オンまたはオフする。
【０１４３】
容量Ｃ２は、駆動トランジスタＤＴのゲート端子に一方の端子が接続され、他方の端子が発光用電源電圧信号線１１５に接続されており、駆動トランジスタＤＴのゲート端子の電位を保持する。
【０１４４】
［３．３．駆動方法］
次に、図１２及び図１３を参照しながら、本実施形態に係る表示装置の駆動方法について説明する。図１２は、本実施形態に係る表示装置の駆動方法に基づく走査線の選択に係る動作の推移について説明するための説明図である。また、図１３は、本実施形態に係る表示装置の駆動方法に基づく駆動タイミングの一例について説明するための説明図である。
【０１４５】
図１２に示すように、本実施形態に係る表示装置２００では、消灯期間中において、各画素回路１１０に対するデータビットの書き込みが行われる期間に先立ち、初期化期間が設けられている点で、前述した第１の実施形態に係る表示装置１００と異なる。そこで、以降では、本実施形態に係る表示装置の駆動方法について、図１１に示す画素回路２１０の構成をあわせて参照しながら、当該初期化期間に着目して説明する。
【０１４６】
表示装置２００は、点灯期間に先立つ消灯期間において、制御信号ＥＭをＨレベルにして、一連の画素回路２１０の第３のスイッチ素子Ｍ３をオフ状態に切り替える。これにより、各画素回路２１０の容量Ｃ１に保持されたデータビットＤｊの信号レベルに関わらず、当該画素回路２１０の発光素子ＥＬが非発光状態に制御される。
【０１４７】
また、図１３に示すように、初期化期間は（ａ）〜（ｃ）の３つの期間に分かれている。
【０１４８】
まず、初期化期間（ａ）において、表示装置２００は、一括選択信号ＧＳＬをＬレベルにして、全走査線１１２にＬレベルの走査信号を出力し、全画素回路２１０の第２のスイッチ素子Ｍ２をオン状態に切り替える。これにより、第１のスイッチ素子Ｍ１をオフ状態にするＨレベルのデータビットＤｊが、第２のスイッチ素子Ｍ２を介してデータ線１１４から第１のスイッチ素子Ｍ１のゲート端子に伝達され、第１のスイッチ素子Ｍ１がオフ状態に切り替えられる。
【０１４９】
次に、初期化期間（ｂ）において、表示装置２００は、一括選択信号ＧＳＬをＨレベルにして、全走査線１１２にＨレベルの走査信号を出力し、全画素回路２１０の第２のスイッチ素子Ｍ２をオフ状態に切り替える。これにより、第１のスイッチ素子Ｍ１をオフ状態にするＨレベルのデータビットＤｊが容量Ｃ１に保持される。
【０１５０】
また、表示装置２００は、初期化信号線２１３を介してゲート端子に伝達される初期化制御信号ＩＮＴをＬレベルにして、全画素回路２１０の第４のスイッチ素子Ｍ４をオン状態に切り替える。これにより、駆動トランジスタＤＴをオン状態にする初期化電圧Ｖｉｎｔが、第４のスイッチ素子Ｍ４を介して初期化電圧信号線２１４から駆動トランジスタＤＴのゲート端子に伝達され、駆動トランジスタＤＴがオン状態に切り替えられる。
【０１５１】
次に、初期化期間（ｃ）において、表示装置２００は、期化制御信号ＩＮＴをＨレベルにして、全画素回路２１０の第４のスイッチ素子Ｍ４をオフ状態に切り替える。これにより、駆動トランジスタＤＴをオン状態にする初期化電圧Ｖｉｎｔが容量Ｃ２に保持される。
【０１５２】
また、表示装置２００は、制御信号線２１２を介してゲート端子に伝達される制御信号ＧＣをＬレベルにして、全画素回路２１０の第５のスイッチ素子Ｍ５と第６のスイッチ素子Ｍ６とをオン状態に切り替える。このとき、第６のスイッチ素子がオン状態となることで、駆動トランジスタＤＴのゲート端子とドレイン端子とがバイパスされ、駆動トランジスタＤＴがダイオード接続状態となる。
【０１５３】
第５のスイッチ素子Ｍ５及び第６のスイッチ素子Ｍ６がオン状態になると、定電流回路２４３を一定の定電流に設定するための定電流設定電圧データ電圧信号Ｖｏｎが、第５のスイッチ素子Ｍ５及びダイオード接続状態となった駆動トランジスタＤＴを介して、定電流設定データ電圧信号線２１５から駆動トランジスタＤＴのゲート端子に伝達される。
【０１５４】
そして、駆動トランジスタＤＴのゲート端子電位が、定電流設定電圧データ電圧信号Ｖｏｎから駆動トランジスタＤＴの閾値電圧Ｖｔｈを差し引いた電位に到達すると、駆動トランジスタＤＴはオフ状態となる。このとき、駆動トランジスタＤＴの閾値電圧Ｖｔｈが補償された定電流設定電圧データ電圧信号Ｖｏｎが容量Ｃ２に保持されることとなる。
【０１５５】
このような構成により、定電流回路２４３は、容量Ｃ２に保持された定電流設定電圧データ電圧信号Ｖｏｎに応じて、駆動トランジスタＤＴを介して定電流を出力する。なお、定電流設定電圧データ電圧信号Ｖｏｎは、例えば、１フレーム中に設けられた点灯期間中に継続的に発光素子を発光させた場合に、全白輝度が得られる電流値を、定電流回路２４３が出力するように設定されることが望ましい。
【０１５６】
初期化期間（ｃ）が終了すると、表示装置２００は、制御信号ＧＣをＨレベルにして、全画素回路２１０の第５のスイッチ素子Ｍ５と第６のスイッチ素子Ｍ６をオフ状態に切り替える。なお、以降の動作については、前述した第１の実施形態に係る表示装置の駆動方法と同様である。即ち、表示装置２００は、アドレスＡｄｙを、水平同期信号Ｄｘに同期して、１〜２４０までインクリメントし、全走査線を順次選択する。そして、選択した走査線に応じて、選択された走査線上の各画素回路の点灯期間開始時のデータビットＤｊを、データ線１１４に出力する。
【０１５７】
以上説明したように、本実施形態に係る表示装置は、画素回路に定電流回路を設け、図１３に基づき上述したように、初期化期間中（即ち、初期化期間（ａ）〜（ｃ））に、当該定電流回路を制御する。このような構成及び制御により、当該定電流回路の駆動トランジスタは、閾値電圧Ｖｔｈが補償された電圧に基づき駆動することが可能となる。
【０１５８】
このような構成により、本実施形態に係る表示装置では、例えば、各画素回路間で駆動トランジスタの特性、特に、閾値電圧Ｖｔｈにばらつきがある場合においても、各画素回路の発光素子に対して定電流（即ち、所定の電流値の電流）を供給することが可能となる。そのため、本実施形態に係る表示装置に依れば、画素回路間における駆動トランジスタの特性のばらつきによる画像表示への影響を抑制し、より再現性の高い鮮明な画像を表示させることが可能となる。
【０１５９】
なお、本実施形態に係る表示装置は、前述した第１の実施形態と同様に、１フレーム中に当該フレームに対応する画像のみの表示を行うという制約のもと、サブフレーム駆動を行うための点灯期間を最大限に確保することが可能となる。また、本実施形態に係る表示装置が、疑似輪郭、即ち、動体を表示させた場合の残像を軽減するという副次的な作用効果も得られる点についても、前述した第１の実施形態と同様である。なお、画面上の発光面積に応じて画面全体の輝度を調整するピーク輝度制御を行う場合については、例えば、表示装置２００は、フレームごとに、定電流設定電圧データ電圧信号Ｖｏｎを調整すればよい。
【０１６０】
＜４．第４の実施形態＞
次に、第４の実施形態に係る表示装置３００について説明する。本実施形態に係る表示装置３００は、発光素子のＶＩ特性（voltage-current  characteristics）及びＩＬ特性のばらつきを補償することで、当該ばらつきに伴う、輝度ムラ（luminance  unevenness）による画像表示への影響（例えば、画質劣化）を抑制する。具体的には、本実施形態に係る表示装置３００は、発光素子のＶＩ特性を測定し、当該測定の結果に基づき、発光素子のＶＩ特性及びＩＬ特性を補償する。そこで、以降では、本実施形態に係る表示装置３００の詳細について説明する。
【０１６１】
［４．１．動作概要］
本実施形態に係る表示装置３００は、消灯期間中に発光素子のＶＩ特性を検出するための検出期間を設け、画像の表示に係る発光素子の発光と、発光素子のＶＩ特性の検出とを、画素回路ごとに制御する。本実施形態に係る表示装置３００は、ＶＩ特性の検出が行われる対象の画素回路（以下、「対象画素回路」と示す）に対して、当該検出が行われる場合には、表示部に表示される画像に対応するデータである表示データを補正する。
【０１６２】
上述のように表示データを補正することで、１フレーム中における対象画素回路の発光素子の発光量は、補正後の表示データに基づく発光量となる。また、表示データが補正されることによって、ある１フレームにおいて、対象画素回路に対応する当該１フレームの表示データと、ＶＩ特性の検出の対象ではない画素回路（以下、「非対象画素回路」と示す）に対応する１フレームの表示データとが同一のデータである場合には、当該１フレームにおける対象画素回路の発光量と非対象画素回路の発光量とは同一となる。
【０１６３】
よって、本実施形態に係る表示装置が、例えば上記のように表示データを補正することによって、ＶＩ特性の検出が行われる場合であっても、表示データと１フレームにおける発光量との整合をとることが可能となる。
【０１６４】
ここで、図１４を参照して、本実施形態に係る表示装置３００の動作概要について説明する。図１４は、本実施形態に係る表示データと、画素回路が有する発光素子の発光状態との一例を示す説明図である。
【０１６５】
本実施形態に係る表示装置３００は、図５に示す例と比較するとわかるように、画素回路の発光及び非発光を制御する期間として、サブフレームＳＦ０〜ＳＦ３に加えて、検出期間を設けている。なお、検出期間は、発光素子のＶＩ特性を測定するための期間である。
【０１６６】
図１４と図５とに示すように、本実施形態に係る表示装置３００では、図５に示す例の各階調において、サブフレームＳＦ１がＬレベルに設定される画素回路に対して、検出期間のデータビットをＬレベルに設定し、当該サブフレームＳＦ１をＨレベルに設定する。なお、サブフレームＳＦ０、ＳＦ２、及びＳＦ３については、図５と同様である。
【０１６７】
なお、図１４に示す例では、検出期間＝サブフレームＳＦ１の期間としたが、検出に要する時間以上の期間を検出期間として確保できれば、対象となるサブフレームは、必ずしもサブフレームＳＦ１には限定されない。
【０１６８】
［４．１．表示装置の構成］
次に、図１５を参照して、本実施形態に係る表示装置の構成の一例について、前述した第１の実施形態に係る表示装置の構成と異なる部分に着目して説明する。図１５は、第４の実施形態に係る表示装置３００の構成の一例について説明するための説明図である。
【０１６９】
図１５に示すように、本実施形態に係る表示装置３００は、表示部３０２と、走査線駆動回路１２０と、データ線駆動回路３３０と、検出用走査線駆動回路３２０とを有する。
【０１７０】
表示部３０２は、複数の画素回路３１０を有し、データ信号に対応する画像を表示画面に表示させる。画素回路３１０それぞれは、互いに直交する方向に配置された複数の走査線１１２と複数のデータ線１１４との交差箇所それぞれに対応して配置される。即ち、複数の走査線１１２が配された方向を行方向（Ｙ方向）とし、複数のデータ線１１４が配された方向を列方向（Ｘ方向）として、複数の画素回路３１０が、マトリクス（Matrix）状に配置される。なお、以降では、図１５に示すように、走査線１１２が行方向（Ｙ方向）に沿って２４０本配され、データ線１１４が、列方向（Ｘ方向）に沿って３２０本配されているものとして説明する。また、画素回路３１０の構成の一例については、別途後述する。
【０１７１】
また、表示部３０２には、図示しない上位の制御回路から、発光用電源電圧ＥＬＶＤＤと発光用電源電圧ＥＬＶＳＳとがそれぞれ供給される。発光用電源電圧ＥＬＶＤＤと発光用電源電圧ＥＬＶＳＳとは、例えば、画素回路３１０が有する発光素子を発光させるための電流を供給する信号である。
【０１７２】
また、本実施形態に係るデータ線駆動回路３３０は、検出回路３３６を含む点で、前述した各実施形態に係るデータ線駆動回路１３０と異なる。
【０１７３】
検出回路３３６は、データビットＤｊがデータ線１１４へと出力される際に、電流検出により発光素子のＶＩ特性を検出する。検出回路３３６の構成の一例については、後述する。
【０１７４】
検出用走査線駆動回路３２０は、図示しない上位の制御回路から供給されるアドレス信号Ａｄｙｓで指定された行の検出用走査線３１２に対して、Ｌレベルの検出用走査信号を排他的に出力する一種のアドレスデコーダで構成される。なお、１、２、３、…、２４０行目の検出用走査線３１２に供給される検出用走査信号をそれぞれＳＮ１、ＳＮ２、ＳＮ３、…、ＳＮ２４０と表記し、そのうちの１つの検出用走査信号を、「ＳＮｉ」（ｉは、１≦ｉ≦２４０の整数）と示す。
【０１７５】
［４．２．画素回路の構成］
次に、図１６を参照して、本実施形態に係る画素回路の構成の一例について説明する。図１６は、本実施形態に係る画素回路の構成の一例について説明するための説明図である。
【０１７６】
図１６では、図１５に示す表示部３０２を構成する複数の画素回路３１０のうち、ｉ行ｊ列の交差箇所に対応して配置される画素回路３１０の一例を示している。また、表示部３０２を構成する他の画素回路３１０については、図１６に示す画素回路３１０の構成と同様の構成をとることが可能であるため、詳細な説明を省略する。
【０１７７】
画素回路３１０は、発光素子ＥＬと、スイッチ回路１４１と、第３のスイッチ素子Ｍ３と、第７のスイッチＭ７とを有する。
【０１７８】
スイッチ回路１４１は、第１の実施形態に係る表示装置が有する画素回路のスイッチ回路１４１の構成、即ち、第１のスイッチ素子Ｍ１、第２のスイッチ素子Ｍ２、及び容量Ｃ１で構成される部分と同様である。即ち、スイッチ回路１４１は、第１のスイッチ素子Ｍ１をオンまたはオフすることにより、第３のスイッチ素子Ｍ３への発光用電源電圧ＥＬＶＤＤに基づく電流の供給を制御する。
【０１７９】
第７のスイッチ素子Ｍ７は、ソース端子がデータ線１１４に接続され、ドレイン端子が第３のスイッチ素子Ｍ３のドレイン端子と発光素子ＥＬのアノード端子とに接続されており、検出用走査線３１２を介してゲート端子に伝達される検出用走査信号ＳＮｉに応じて、オンまたはオフする。
【０１８０】
［４．３．検出回路の構成］
次に、図１７〜図１９を参照して、本実施形態に係る検出回路の構成の一例について説明する。図１７〜図１９は、本実施形態に係る検出回路の構成の一例について説明するための説明図である。
【０１８１】
検出回路３３６は、スイッチＳＷ１〜ＳＷ４と、電流測定回路３３７と、Ａ／Ｄ変換回路３３８とを備える。
【０１８２】
スイッチＳＷ１及びＳＷ２は、図示しない上位の制御回路から伝達される検出選択信号ＳＮＳＬに基づいて、協調的に動作するように構成されている。スイッチＳＷ１及びＳＷ２としては、例えば、導電型が同じＭＯＳＦＥＴなど、検出選択信号ＳＮＳＬに基づいて協調的にオン状態またはオフ状態となることが可能な、任意のスイッチ素子が挙げられる。
【０１８３】
検出選択信号ＳＮＳＬとして、Ｈレベルの信号がスイッチＳＷ１及びＳＷ２に伝達されると、図１９に示すように、スイッチＳＷ１はノードｎ１１に接続され、スイッチＳＷ２はノードｎ２１に接続される。この場合には、サンプル・ホールド回路１３４から出力されたデータビットＳＤｊが、スイッチＳＷ１及びＳＷ２とデータ線１１４とを介して、データビットＤｊとして各画素回路３１０に供給される。
【０１８４】
また、検出選択信号ＳＮＳＬとして、Ｌレベルの信号がスイッチＳＷ１及びＳＷ２に伝達されると、図１７及び図１８に示すように、スイッチＳＷ１はノードｎ１２に接続され、スイッチＳＷ２はノードｎ１２に接続される。この場合には、サンプル・ホールド回路１３４から出力されたデータビットＳＤｊが、スイッチＳＷ１を介して、スイッチＳＷ３及びＳＷ４に伝達される。
【０１８５】
電流測定回路３３７は、画素回路３１０の発光素子ＥＬの特性の検出時に、データ線１１４経由で流れる電流を測定する。Ａ／Ｄ変換回路３３８は、電流測定回路３３７において測定された電流値をデジタル信号に変換する。
【０１８６】
スイッチＳＷ３及びＳＷ４は、サンプル・ホールド回路１３４からスイッチＳＷ１を介して伝達されるデータビットＳＤｊに基づいて、排他的にオン状態またはオフ状態となるように構成されている。スイッチＳＷ３、スイッチＳＷ４としては、例えば、導電型が互いに異なるＭＯＳＦＥＴなど、選択信号ＶＳＥＮＳＥ_ＳＥＬに基づいて排他的にオン状態、またはオフ状態となることが可能な、任意のスイッチ素子が挙げられる。
【０１８７】
データビットＳＤｊとして、Ｈレベルの信号がスイッチＳＷ３及びＳＷ４に伝達されると、図１７に示すように、スイッチＳＷ３がオン状態となり、スイッチＳＷ４がオフ状態となる。このとき、図示しない上位の制御回路から、発光用電源電圧ＥＬＶＤＤが、電流測定回路３３７、スイッチＳＷ３、スイッチＳＷ２、及びデータ線１１４を介して、データビットＤｊとして各画素回路３１０に供給される。このとき、画素回路３１０の発光素子ＥＬの特性の検出が行われる。
【０１８８】
具体的には、検出回路３３６は、発光素子ＥＬに供給される電流の電流値を測定する。検出回路３３６により測定された電流の電流値は、Ａ／Ｄ変換回路３３８によりデジタル信号に変換され、発光素子ＥＬのＶＩ特性を示すデータＤＣＴとして、図示しない上位の制御回路に転送される。このとき、当該制御回路は、発光素子ＥＬのＶＩ特性を示すデータＤＣＴに基づいて、該当画素回路３１０に伝達されるデータビットＳＤｊを補正する。これにより、発光素子ＥＬのＶＩ特性及びＩＬ特性のばらつきが補償され、当該ばらつきに伴う、輝度ムラによる画像表示への影響（例えば、画質劣化）が抑制される。
【０１８９】
［４．３．駆動方法］
次に、図２０及び図２１を参照しながら、本実施形態に係る表示装置の駆動方法について説明する。図２０は、本実施形態に係る表示装置の駆動方法に基づく走査線の選択に係る動作の推移について説明するための説明図である。また、図２１は、本実施形態に係る表示装置の駆動方法に基づく駆動タイミングの一例について説明するための説明図である。
【０１９０】
図２０に示すように、本実施形態に係る表示装置３００では、消灯期間中において、各画素回路１１０に対するデータビットの書き込みが行われる期間に先立ち、検出期間が設けられている点で、前述した第１の実施形態に係る表示装置１００と異なる。そこで、以降では、本実施形態に係る表示装置の駆動方法について、図１６に示す画素回路３１０及及び図１７〜図１９に示す検出回路３３６の構成をあわせて参照しながら、当該検出期間に着目して説明する。
【０１９１】
まず、消灯期間中の検出期間において、図示しない上位の制御回路は、検出選択信号ＳＮＳＬをＬレベルにすることで、図１７及び図１８に示すように、電流検出により発光素子のＶＩ特性を検出可能な状態に制御する。
【０１９２】
また、図示しない上位の制御回路は、検出対象とする検出用走査線３１２に対応するアドレスＡｄｙsを出力することで、検出用走査線３１２（例えば、ｉ行目の検出用走査線３１２）を選択し、選択された画素回路３１０のスイッチ素子Ｍ７をオン状態にする。
【０１９３】
なお、このとき、図示しない上位の制御回路は、アドレスＡｄｙは２４１以上（例えば、２５５）とし、全走査線１１２にＨレベルの走査信号Ｇ１〜Ｇ２４０を出力することで、全画素回路３１０のスイッチ素子Ｍ２をオフ状態にしておくことが望ましい。
【０１９４】
さらに、サンプル・ホールド回路１３４からは、ｉ行目の画素回路３１０の点灯期間におけるＳＦ１のデータビットＳＤ１〜ＳＤ２４０が、一括して検出回路３３６に出力される。
【０１９５】
入力されたデータビットＳＤｊがＨレベルであれば、検出回路３３６が図１７に示す接続状態となり、電流測定回路３３７を介して、発光用電源電圧ＥＬＶＤＤが、データ線１１４にデータビットＤｊとして供給される。また、入力されたデータビットＳＤｊがＬレベルであれば、検出回路３３６が図１８に示す接続状態となり、発光用電源電圧ＥＬＶＳＳが、データ線１１４にデータビットＤｊとして供給される。
【０１９６】
ｉ行目の画素回路３１０に供給されたデータビットＤｊは、当該画素回路３１０のスイッチ素子Ｍ７を介して発光素子ＥＬに供給される。このとき、データビットＤｊが発光用電源電圧ＥＬＶＤＤであれば、発光素子ＥＬは発光し、発光素子ＥＬに供給される電流が検出回路３３６の電流測定回路３３７で検出される。電流測定回路３３７で検出された電流は、Ａ／Ｄ変換回路３３８によりデジタル信号に変換され、変換発光素子ＥＬのＶＩ特性データＤＣＴとして、図示しない制御回路へ転送される。そして、当該制御回路は、発光素子ＥＬのＶＩ特性を示すデータＤＣＴに基づいて、該当画素回路３１０に伝達されるデータビットＳＤｊを補正する。
【０１９７】
以上、説明したように、本実施形態に係る表示装置は、消灯期間中に検出期間を設け、当該検出期間において、対象画素回路の発光素子を流れる電流を検出回路により検出することで、当該発光素子のＶＩ特性を検出する。そして、本実施形態に係る表示装置は、検出した発光素子のＶＩ特性に基づき、該当画素回路３１０に伝達されるデータビットＳＤｊを補正することで、当該発光素子の発光量を調整する。このような構成により、本実施形態に係る表示装置は、例えば、各画素回路の発光素子のＶＩ特性及びＩＬ特性のばらつきを補償し、当該ばらつきに伴う、輝度ムラによる画像表示への影響（例えば、画質劣化）を抑制することが可能となる。
【０１９８】
＜５．まとめ＞
以上説明したように、本発明の各実施形態に係る表示装置は、表示部を構成する全ての画素回路に対して、消灯期間中に、当該消灯期間の直後に設定された点灯期間の開始タイミングにおけるデータビットを書き込む。そして、消灯期間中における各画素回路へのデータビットの書き込み完了後に、当該表示装置は、各走査線を、当該走査線に対応して点灯期間に割り当てられた各サブフレームの開始タイミングに同期して順次選択し、当該走査線に接続された画素回路を駆動させる。
【０１９９】
このような構成により、本発明の各実施形態に係る表示装置では、Ｎ番目のフレーム期間においては、Ｎ番目のフレーム期間に対応する画像のみが表示されることとなる。そのため、本発明の各実施形態に係る表示装置は、画像の表示に係る制御をフレームごとに実行することが可能となる。
【０２００】
また、上記に説明した構成により、本発明の各実施形態に係る表示装置は、全ての画素回路を消灯させる期間を、図６、図９、及び図１２に示した消灯期間のみに抑えることが可能となる。換言すると、表示装置１００では、１フレーム中に当該フレームに対応する画像のみの表示を行うという制約のもと、サブフレーム駆動を行うための点灯期間を最大限に確保することが可能となる。
【０２０１】
また、本発明の各実施形態に係る表示装置では、前述の通り、各フレームに対応する画像が表示される点灯期間の合間に、消灯期間、即ち、黒表示が行われる期間が設けられることとなる。そのため、疑似輪郭、即ち、動体を表示させた場合の残像を軽減するという副次的な作用効果も得られる。
【０２０２】
なお、上述した一連の動作は、表示装置の各構成を動作させる装置のＣＰＵを機能させるためのプログラムによって構成することができる。このプログラムは、その装置にインストールされたＯＳ（Ｏｐｅｒａｔｉｎｇ  Ｓｙｓｔｅｍ）を介して実行されるように構成してもよい。また、このプログラムは、上述した処理を実行する構成が含まれる装置が読み出し可能であれば、記憶される位置は限定されない。例えば、装置の外部から接続される記録媒体にプログラムが格納されていてもよい。この場合には、プログラムが格納された記録媒体を装置に接続することによって、その装置のＣＰＵに当該プログラムを実行させるように構成するとよい。
【０２０３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０２０４】
１００  表示装置
１０２  表示部
１１０  画素回路
１１２  走査線
１１３  制御信号線
１１４  データ線
１１５  発光用電源電圧信号線
１２０  走査線駆動回路
１３０  データ線駆動回路
１３２  シフトレジスタ回路
１３４  サンプル・ホールド回路
１４１  スイッチ回路
２００  表示装置
２０２  表示部
２１０  画素回路
２１２  制御信号線
２１３  初期化信号線
２１４  初期化電圧信号線
２１５  定電流設定データ電圧信号線
２２０  走査線駆動回路
２２２  アドレスデコーダ回路
２２４  回路
２４０  全走査線
２４３  定電流回路
【図１】
2015187641.tif 000012
【図２】
2015187641.tif 000013
【図３】
2015187641.tif 000014
【図４】
2015187641.tif 000015
【図５】
2015187641.tif 000016
【図６】
2015187641.tif 000017
【図７】
2015187641.tif 000018
【図８】
2015187641.tif 000019
【図９】
2015187641.tif 000020
【図１０】
2015187641.tif 000021
【図１１】
2015187641.tif 000022
【図１２】
2015187641.tif 000023
【図１３】
2015187641.tif 000024
【図１４】
2015187641.tif 000025
【図１５】
2015187641.tif 000026
【図１６】
2015187641.tif 000027
【図１７】
2015187641.tif 000028
【図１８】
2015187641.tif 000029
【図１９】
2015187641.tif 000030
【図２０】
2015187641.tif 000031
【図２１】
2015187641.tif 000032